(57)【要約】【課題】表示パネル上に配置されるタッチスイッチ装置で、電極パターンが視認されて表示品質が低下することを解消する。【解決手段】センサ領域となる平面上に導電材料によって形成される電極パターン部と、電極パターン部と同一平面上に導電材料によって形成され電極パターン部をセンサ領域の外部に電気的に接続する非直線の配線が形成された配線パターン部とを備える。そしてセンサ領域内では、網目模様を形成する線の所要箇所が非連続部とされるパターンで導電材料の線が形成されることで、非連続部により、電極パターン部となる部分と配線パターン部となる部分が区分けされるようにする。これによって配線パターン部が、視覚上、電極パターン部の網目模様の一部を構成して一体化するような状態となり、電極パターン部に対して配線パターン部が目立つようなことがなくなる。【選択図】図１
2014089585.tif 000002
【特許請求の範囲】
【請求項１】
センサ領域となる平面上に導電材料によって形成された電極パターン部と、
上記電極パターン部と同一平面上に上記導電材料によって形成され、上記電極パターン部を上記センサ領域の外部に電気的に接続する配線が、複数の屈曲点で屈曲された非直線状とされている配線パターン部と、
を備え、
上記センサ領域内は、網目模様を形成する線の一部が非連続部とされるパターンで上記導電材料の線が形成され、上記非連続部により上記電極パターン部となる部分と上記配線パターン部となる部分が区分けされているタッチスイッチ装置。
【請求項２】
上記配線パターン部の配線は、上記電極パターン部の導電材料と、上記配線パターン部の導電材料のいずれとも非連続な導電材料の線で形成される島部を介在させて、隣接する電極パターン部から分離されている請求項１に記載のタッチスイッチ装置。
【請求項３】
上記配線パターン部には、複数の配線が隣接形成され、一の配線と隣接する配線は、当該両配線の導電材料のいずれとも非連続な導電材料の線で形成される島部を介在させて分離されている請求項１又は請求項２に記載のタッチスイッチ装置。
【請求項４】
上記配線を形成する導電材料の線の幅は、上記電極パターン部の導電材料の線の幅よりも広く形成され、
上記島部を形成する導電材料の線の幅は、上記配線を形成する導電材料の線の幅よりも狭く形成されている請求項２又は請求項３に記載のタッチスイッチ装置。
【請求項５】
上記島部は、導電材料線分とされた短線状島部として形成されている請求項２乃至請求項４のいずれかに記載のタッチスイッチ装置。
【請求項６】
上記配線パターン部には、複数の配線が隣接形成され、一の配線と隣接する配線は、上記非連続部により分離されている請求項１又は請求項２に記載のタッチスイッチ装置。
【請求項７】
上記配線を形成する導電材料の線の幅は、上記電極パターン部の導電材料の線の幅よりも広く形成されている請求項１に記載のタッチスイッチ装置。
【請求項８】
上記電極パターン部として、タッチ検出電極として用いられるセンサ電極パターンと、タッチ検出に用いられないダミー電極パターンが設けられ、
上記配線パターン部は、一のセンサ電極パターンと他のセンサ電極パターンの間の領域に形成される請求項１に記載のタッチスイッチ装置。
【請求項９】
上記電極パターン部として、タッチ検出電極として用いられるセンサ電極パターンと、タッチ検出に用いられないダミー電極パターンが設けられ、
上記配線パターン部は、上記センサ電極パターンと上記ダミー電極パターンの間の領域に形成される請求項１に記載のタッチスイッチ装置。
【請求項１０】
上記電極パターン部として、タッチ検出電極として用いられるセンサ電極パターンと、タッチ検出に用いられないダミー電極パターンが設けられ、
上記配線パターン部は、一のダミー電極パターンと他のダミー電極パターンの間の領域に形成される請求項１に記載のタッチスイッチ装置。
【請求項１１】
複数の上記配線は、同一の間隔で屈曲する導電材料の屈曲線で形成されている請求項３又は請求項６に記載のタッチスイッチ装置。
【請求項１２】
上記配線は、屈曲点から屈曲点までの長さが複数種類の長さとなる屈曲線で形成されている請求項１、請求項３、又は請求項６に記載のタッチスイッチ装置。
【請求項１３】
上記配線は、複数の屈曲線が組み合わされて１つの配線が形成されている請求項１、請求項３、請求項６、又は請求項１２に記載のタッチスイッチ装置。
【発明の詳細な説明】
【技術分野】
【０００１】
本発明は、タッチパネル等で用いられるタッチスイッチ装置に関する。
【先行技術文献】
【特許文献】
【０００２】
【特許文献１】特開２０１２−５３６６９号公報
【特許文献２】特開２０１２−４３６５２号公報
【背景技術】
【０００３】
例えばガラス板上にアルミ配線パターンによる透過タイプのセンサ電極を形成し、液晶表示パネルなどの表示デバイスの前面に配置するタッチスイッチ装置が各種開発されている。
表示パネル前面に配置されるタッチパネルは、表示パネルで表示される画像の輝度を下げないようにするために透過率が高いことや、画像品質を低下させないように、センサ電極などのパターンが視認されないようにすることが要求される。
【発明の概要】
【発明が解決しようとする課題】
【０００４】
しかしながらタッチスイッチ装置では、センサ電極に対する配線引き回しの必要から、例えば図８Ａに示すように、配線のラインが視認されてしまう。
図８Ａでは、タッチスイッチ装置のセンサ領域１００を示している。センサ領域１００内は、ユーザがタッチ操作を行うことができる領域である。このセンサ領域１００内は、図８Ｂに一部を拡大して示すように、網目模様の電極パターン１０３が形成されている。図９は、電極パターン１０３と配線１０１をさらに拡大して示したものである。
各図からわかるように、各電極パターン１０３は配線１０１によって引き出され、センサ領域１００外に設けられた図示しない端子／回路等に電気的に接続される。
【０００５】
この例の場合、電極パターン１０３が例えば斜め線が交差したハッチング状のパターンによる網目模様であることに対し、配線１０１は直線状のパターンである。また、複数の電極パターン１０３からの配線が集中して並ぶことで、網目模様とはならない配線部分の幅も太くなる。これによって図８Ａのように、配線１０１がわずかながらも視認されるような状態が生ずる。しかしわずかであっても、このタッチスイッチ装置は液晶パネル等の前面に配置されるため、表示画像上でスジのように現れてしまい、表示品質を低下させる。
なお、図８Ｃのように、センサ領域１００の周囲は、表示装置の額縁部分１１０となり、マスクされる。従って実際上、配線１０１のうちでセンサ領域１００の外に形成された部分は、ユーザに視認されることもなく、表示品質の低下はもたらさない。問題となるのはセンサ領域１００内の配線部分となる。
【０００６】
以上に鑑みて本発明では、タッチスイッチ装置においてセンサ領域内の配線によって表示品質が低下することがないようにすることを目的とする。
【課題を解決するための手段】
【０００７】
本発明のタッチスイッチ装置は、センサ領域となる平面上に導電材料によって形成された電極パターン部と、上記電極パターン部と同一平面上に上記導電材料によって形成され、上記電極パターン部を上記センサ領域の外部に電気的に接続する配線が、複数の屈曲点で屈曲された非直線状とされている配線パターン部とを備える。そして上記センサ領域内は、網目模様を形成する線の一部が非連続部とされるパターンで上記導電材料の線が形成され、上記非連続部により上記電極パターン部となる部分と上記配線パターン部となる部分が区分けされている。
【０００８】
また、上記配線パターン部の配線は、上記電極パターン部の導電材料と、上記配線パターン部の導電材料のいずれとも非連続な導電材料の線で形成される島部を介在させて、隣接する電極パターン部から分離されている。
また上記配線パターン部には、複数の配線が隣接形成され、一の配線と隣接する配線は、当該両配線の導電材料のいずれとも非連続な導電材料の線で形成される島部を介在させて分離されている。
また上記配線を形成する導電材料の線の幅は、上記電極パターン部の導電材料の線の幅よりも広く形成され、上記島部を形成する導電材料の線の幅は、上記配線を形成する導電材料の線の幅よりも狭く形成されている。
また上記島部は、導電材料線分とされた短線状島部として形成されている。
また上記配線パターン部には、複数の配線が隣接形成され、一の配線と隣接する配線は、上記非連続部により分離されている。
また上記配線を形成する導電材料の線の幅は、上記電極パターン部の導電材料の線の幅よりも広く形成されている。
【０００９】
また上記電極パターン部として、タッチ検出電極として用いられるセンサ電極パターンと、タッチ検出に用いられないダミー電極パターンが設けられる。この場合に、上記配線パターン部は、一のセンサ電極パターンと他のセンサ電極パターンの間の領域に形成される。又は、上記配線パターン部は、上記センサ電極パターンと上記ダミー電極パターンの間の領域に形成される。又は、上記配線パターン部は、一のダミー電極パターンと他のダミー電極パターンの間の領域に形成される。
【００１０】
また複数の上記配線は、同一の間隔で屈曲する導電材料の屈曲線で形成されている。
また上記配線は、屈曲点から屈曲点までの長さが複数種類の長さとなる屈曲線で形成されている。
また上記配線は、複数の屈曲線が組み合わされて１つの配線が形成されている。
【００１１】
このような本発明では、センサ領域内の配線は、電極パターンの網目模様と略同様の網目模様の一部を形成するようなパターンとなる。
即ち、網目模様を形成する線の非連続部により、電極パターン部となる部分と配線パターン部となる部分が区分けされているということは、非直線状の配線が、電極パターン部の導電材料の線と同じ網目模様を形成するような状態で形成されていることとなる。例えば配線は屈曲線などとなるが、その配線の屈曲線のパターンと同様の屈曲線となる部分が、電極パターン部の網目模様を形成する線の中に存在する。
これにより配線パターン部は、電極パターン部と同じ網目模様を形成する一部分のようなパターンとなり、センサ領域全体として、配線パターン部が視認上目立つようなことがなくなる。
【発明の効果】
【００１２】
本発明によれば、センサ領域内で配線が目立つことで、表示品位が低下することがなくなり、表示パネル前面に配置するタッチスイッチ装置として好適となる。
【図面の簡単な説明】
【００１３】
【図１】本発明の実施の形態のタッチスイッチ装置の説明図である。
【図２】実施の形態のタッチスイッチ装置の電極パターン部と配線パターン部の拡大図である。
【図３】実施の形態の電極パターン部と配線パターン部の導電材料による線の説明図である。
【図４】実施の形態の電極パターン部と配線パターン部の配置関係の説明図である。
【図５】実施の形態の電極パターン部と配線パターン部の区分け例の説明図である。
【図６】実施の形態の電極パターン部と配線パターン部の区分け例の説明図である。
【図７】実施の形態の電極パターン部と配線パターン部の区分け例の説明図である。
【図８】従来のタッチスイッチ装置の説明図である。
【図９】従来のタッチスイッチ装置の電極パターンと配線の説明図である。
【発明を実施するための形態】
【００１４】
以下、実施の形態のタッチスイッチ装置を説明する。
図１Ａはタッチスイッチ装置のセンサ領域２を示し、図１Ｂは、その一部を拡大したものである。図のようにセンサ領域２内には、電極パターン部３と配線パターン部４が形成されている。図２は電極パターン部３と配線パターン部４をさらに拡大して示したものである。
【００１５】
なお実施の形態のタッチスイッチ装置は、例えばガラス板に導電材料として例えばアルミを用いたパターン形成を行って、電極パターン部３や配線パターン部４を形成する。この導電材料パターンに対して保護膜を形成することで、平板状の静電容量方式のタッチスイッチ装置が形成される。
電極パターン部３や配線パターン部４となる導電材料パターンは、細線を組み合わせて図１，図２に示す網目模様を形成するようにする。これにより導電材料が存在しない面積を広くし、透過率を向上させる。
そしてこのタッチスイッチ装置が、液晶パネルなどの表示デバイスの前面に配置されることで、表示デバイスの表示をユーザに視認させた状態で、表示に対応した操作を行うことのできるタッチパネルが構成される。
【００１６】
図１Ｂ，図２に示すように、電極パターン部３としては、斜め４５°の多数の線２０が組み合わされた網目模様が形成されるように、導電材料の線がパターニングされている。
電極パターン部３としては、実際にタッチ検出電極として用いられるセンサ電極パターンと、タッチ検出に用いられないダミー電極パターンが設けられる場合があるが、センサ電極パターン、ダミー電極パターンのいずれにしても、同様に導電材料による線２０が組み合わされた網目模様とされる。
【００１７】
なお、センサ電極パターンは、表示デバイスの操作画像（アイコンやキー画像など）に対応する位置に形成される。これにより、ユーザが表示を頼りにタッチ操作を行った際に、センサ電極パターンにより操作が検出できる。しかし、そのような操作画像は、パネル面の全体に設けられるわけではなく、センサ領域２内においてセンサ電極パターンを設ける必要は無い部分も生ずる。しかしその部分に導電材料パターンを何も形成しなければ、当該部分とセンサ電極パターン部分とで透過率の差が大きくなり、表示品質を阻害する。そこでセンサ電極パターンが不要な領域にはダミー電極パターンを形成する。そのダミー電極パターンも、センサ電極パターンと同様に斜め４５°の多数の線２０が組み合わされた網目模様となるパターンとするものとなる。
例えば図２には、４つの電極パターン部３を示しているが、各電極パターン部３はそれぞれ、センサ電極パターンかダミー電極パターンのいずれかである。
【００１８】
センサ電極パターンとされる電極パターン部３については、非直線の配線１０が形成されてセンサ領域２の外部の図示しない検出回路への電気的な接続が実現される。図１Ｂ，図２に示すように、配線１０としてはセンサ領域２の内側に位置する領域内配線部分１０ａと、センサ領域２の外側となる枠外配線部分１０ｂがある。枠外配線部分１０ｂが、図示しない端子／回路に接続されて、センサ電極パターンの検出情報が電気的に得られるようになる。
この例では、配線１０の領域内配線部分１０ａは複数の屈曲点で屈曲された非直線状とされている。そしてこのような非直線状の複数の配線１０が並んだ領域として配線パターン部４が形成されている。各配線１０は、それぞれ所定のセンサ電極パターンと連続した導電材料の線となる。例えば図２の右上の電極パターン部３（センサ電極パターン）についてみると、その電極パターン部３の領域の左下部分で、４本の配線１０のうちの、いちばん右の配線１０と連続している。つまり、当該電極パターン部３はいちばん右の配線１０により、図示しないタッチ検出のための回路と電気的に接続される。
【００１９】
図２からわかるように、電極パターン部３となる部分と、配線パターン部４となる部分は、実際には網目模様を形成する線２０の一部が非連続部１１とされて、切り分けられた状態となっている。
図２に破線で示す仮想線Ｌ１、Ｌ２に注目する。なお、これは実際の導電材料パターンに沿わせて示した仮想的な線である。
いま仮に、仮想線Ｌ１のように、切れ目のない連続した左斜め４５°の直線が隣接して多数形成されるとする。また仮想線Ｌ２のように、同じく連続した右斜め４５°の直線が隣接して多数形成されるとする。するとその場合、センサ領域２内は、右斜め４５°直線と左斜め４５°直線が組み合わされた網目模様のパターンとなる。
そのような網目模様を構成する各線の一部が非連続部とされると、網目模様内で領域（具体的には電極パターン部３と配線パターン部４）を区切ることができる。
図２の右下から仮想線Ｌ１に沿って見てみると、導電材料の線は、まず線２０として電極パターン部３を構成する線となっている。その線が非連続部１１で区切れ、各配線１０の領域内配線部分１０ａの一部を構成する線、及び島部１２を形成する線となる。そしてさらに非連続部１１を介して、図２の左上の電極パターン部３を構成する線２０となる。なお、この場合の島部１２とは、導電材料が短線状の線分とされている部分である。
仮想線Ｌ２について見ても同様で、１つの線の所要箇所が非連続部１１で分離される状態となり、結果的に、それによって電極パターン部３と配線パターン部４が区分けされている。
なお、図２では配線パターン部４に複数の配線１０が隣接するため、ある配線１０と隣接する配線１０の間も、非連続部１１及び短線状の島部１２で分離されている。
【００２０】
このように実施の形態のタッチスイッチ装置は、センサ領域２内において、網目模様を形成する線のうちの所要の線について、その一部が非連続部１１とされるパターンで導電材料の線が形成されたものである。即ち非連続部により電極パターン部３となる部分と配線パターン部４となる部分が区分けされている。
そして図１，図２の例でいうと、配線パターン部４の各配線１０（領域内配線部分１０ａ）は、非直線、具体的には９０°屈曲する屈曲線としてジグザグ状となっているが、結局、このジグザグ状の線を形成する各直線部分（屈曲点から屈曲点までの間の直線）は、センサ領域２の全体の網目模様を構成する線の一部となる。そしてジグザグ状の領域内配線部分１０ａの屈曲線は、電極パターン部３の網目模様を模して屈曲された線とも言える状態となっている。
【００２１】
つまり、この例では配線パターン部４は配線１０と島部１２で形成されているが、その配線パターン部４における導電材料パターンは、電極パターン部３の網目模様とは略同一の網目模様を形成している。換言すれば、配線パターン部４も、主に電極パターン部３によるセンサ領域２の全体の網目模様の一部を形成するような導電材料パターンとなっている。
これにより、配線パターン部４と電極パターン部３の視覚上の差異をほとんどなくし、配線パターン部４が周囲の電極パターン部３より目立ってしまうことが無いようにしている。従って図１Ａに示すようにセンサ領域２内では配線１０が視認されることはなくなる。さらに言えば、配線１０（領域内配線部分１０ａ）が全体の網目模様に沿って非直線に形成されることは、視覚上効果的に電極パターン部３の網目模様に溶け込む作用をなす。
なお、配線１０のうちの枠外配線部分１０ｂについては、網目模様を形成するような線形状としていない。枠外配線部分１０ｂは図８Ｃで説明したように視覚上は表示装置の額縁部分によりマスクされる部分であるので、特に網目状の一部を構成するような非直線とする必要はないためである。
【００２２】
また図１，図２の例では、複数の配線１０が並んで形成されるが、各配線１０は同一の間隔で屈曲する導電材料の屈曲線で形成されている。横に並ぶ各配線が同一の間隔で屈曲する線とされていることで、センサ領域２内のスペースを有効に利用して多数の配線をレイアウトできる。
また図１，図２の例では、配線パターン部４には複数の配線１０が隣接形成され、一の配線と隣接する配線は、島部１２を介在させて分離されている。島部１２は隣接する配線１０、１０のいずれとも分離された導電材料である。従って、隣接する配線パターン部４同士の間は、島部１２の両端の２カ所の非連続部１１により確実に電気的に分離されていることになり、配線同士の電気的絶縁性の信頼度も向上させることができる。
そして島部１２は、この絶縁信頼性の向上とともに、網目模様を構成する要素となっており、配線パターン部４の視認性低下にも寄与する。
【００２３】
ところで、配線パターン部４と電極パターン部３の視覚上の差異をなくすには、透過率をほぼ同程度とすることも重要であるとともに、センサスイッチとしての安定性能も確保しなければならない。これらに関する、本実施の形態の導電材料パターンの形成について図３の拡大図で説明する。
なお、電極パターン部３を形成する線２０、配線１０、島部１２は、例えばアルミ材料を用いて、同一のエッチング工程で同時にパターン形成されるものである。
この場合の、配線１０（領域内配線部分１０ａ）及び電極パターン部３の線２０を構成する導電材料のパターンとしては、全て等しいピッチＰｔ１とされる。例えばピッチＰｔ１＝１８０μｍなどとする。
エッチングパターンとしては、線幅は約１５μｍ幅が限界である。１５μｍ未満であると、断線のない導電線を形成することの保証が難しい。そして通常は安全のため、線幅は１５μｍよりも太くする。
【００２４】
ところがセンサ領域２は、表示パネルの表示輝度を下げないようにするため、なるべく透過率を高くしたいという要請がある。そこで電極パターン部３においては、線幅ｗ１をほぼ限界の１５μｍなどとする。これによってアルミ材料が乗った面積をなるべく小さくし、透過率を高くする。例えばピッチＰｔ１＝１８０μｍ、線幅ｗ１＝１５μｍとすると、電極パターン部３としては８４．０％の透過率が得られる。
特に電極パターン部３は、網目模様に多数の線２０が交差するものであり、線２０の一部が断線してしまっていても、タッチ検出性能上、ほとんど問題は無い。そこでなるべく線幅ｗ１を細くして透過率を稼ぐようにしている。
【００２５】
一方、配線１０（領域内配線部分１０ａ）の線幅ｗ２については、例えば３０μｍなど、電極パターン部３の線２０よりも広い線幅としている。
配線１０の線幅ｗ２を広くすることはタッチ検出性能の維持のためである。即ち配線１０は１本の線として検出信号を伝送する部分であり、断線は致命的である。そこで線幅ｗ２＝３０μｍとして断線が生ずる可能性を極めて低くする。
【００２６】
ここで短線状の島部１２について言及する。
島部１２を設けるのは、配線パターン部４の導電材料パターンを、なるべく電極パターン部３の網目模様に似せるためである。島部１２は、電気的にはダミーであり、検出動作には寄与しない。しかし島部１２を設けないと、非連続部１１が長くなってしまい、網目模様の分断が目立つようになる。そこで島部１２によって、概略網目模様が得られるようにしている。
一方で、配線１０は比較的太い線としていることで、配線１０は透過率を低下させる方向に働く。そこで、島部１２は検出性能に寄与しないことから、透過率の事情を考慮して島部１２の線幅ｗ３を設定する。例えば線幅ｗ３＝１５μｍなどと、配線１０の線幅ｗ１（＝３０μｍ）よりも狭くする。これによって配線パターン部４において透過率があまり下がらず、電極パターン部３の透過率との差が大きくならないようにする。
上記ピッチＰｔ１及び線幅ｗ２，ｗ３の場合、配線パターン部４の透過率は７９．９％となる。電極パターン部３との透過率差は４．１％程度となり、人間の視覚上、ほとんど差を感じられない程度である。
つまり配線パターン部４における隣接する配線１０，１０間の島部１２は、上述の絶縁信頼性の向上、網目模様を構成する要素に加えて、透過率差の低減にも寄与し、配線パターン部４の視認性低下を促進する。
【００２７】
以上のように、配線パターン部４と電極パターン部３は、なるべく網目模様のパターン形状としても類似させつつ、透過率も近いものとすることで、視覚上で配線パターン部４が目立つことを解消するものである。しかもセンサ領域２の全体としてなるべく透過率を高くすること、及びタッチ操作の検出性能も阻害しないことが実現されている。
なお、透過率差を小さくするために、島部１２の線幅ｗ３を、線２０の線幅ｗ１よりも狭めても良い。
【００２８】
またこの図３の例では、電極パターン部３の線２０と配線１０の間の非連続部１１の間隙幅Ｐｔ２を例えば６０μｍとし、配線１０と島部１２の間の非連続部１１の間隙幅Ｐｔ３を例えば３０μｍとしている。
電極パターン部３の線２０と配線１０の間で、非連続部１１の間隙幅Ｐｔ２を比較的広くすることで、配線１０と周囲の電極パターン部３の絶縁を確実化する。
島部１２については、その両側が非連続部１１となるため、結果的に配線１０と配線１０の間の非連続部１１の長さは３０μｍ×２の６０μｍとなる。これによって隣接する配線１０同士の絶縁を確実化するとともに、非連続部１１の合計長さを線２０と配線１０の間の非連続部１１と同等とし、透過率バランスをとっている。
【００２９】
続いて、以上の配線パターン部４と電極パターン部３の位置関係の例を図４に示す。
なお上述のように電極パターン部３としてはセンサ電極パターンとダミー電極パターンが存在する。図４ではセンサ電極パターンＳＰ、ダミー電極パターンＤＰとして示している。また配線１０は図示の便宜上、直線で示しているが、実際には上述のようにジグザグ状（非直線）となり、また島部１２も存在する。
【００３０】
図４Ａは、センサ電極パターンＳＰとセンサ電極パターンＳＰの間の領域に１又は複数の配線１０（領域内配線部分１０ａ）が配置されて配線パターン部４が形成されている例である。
図４Ｂは、センサ電極パターンＳＰとダミー電極パターンＤＰの間の領域に１又は複数の配線１０（領域内配線部分１０ａ）が配置されて配線パターン部４が形成されている例である。
図４Ｃは、センサ電極パターンＳＰとセンサ電極パターンＳＰの間の領域、及びダミー電極パターンＤＰとダミー電極パターンＤＰの間の領域の両方に、１又は複数の配線１０（領域内配線部分１０ａ）が配置されて配線パターン部４が形成されている例である。
【００３１】
いずれの場合も、センサ電極パターンＳＰ、ダミー電極パターンＤＰは同一の網目模様のパターンであり、配線パターン部４も、全体としての網目模様の一部を形成するようなパターン（領域内配線部分１０ａや短線状島部１２のパターン）とされていることから、配線パターン部４が周囲の電極パターン部３との間で、視覚上の差が生じることはほとんどない。
【００３２】
続いて、電極パターン部３の網目形状や、それに応じた領域内配線部分１０ａの線形状の各種例を説明していく。
実施の形態のタッチスイッチ装置としては、その電極パターン部３及び配線パターン部４の導電材料パターンは、図１，図２，図３で説明したパターンに限定されず、以下図５，図６、図７で例示のような各例が想定される。
まず図５では、電極パターン部３が、図１〜図３と同様に斜め４５°線が交差する網目模様とされている場合におけるバリエーションを示す。
【００３３】
図５Ａは、電極パターン部３と電極パターン部３の間に１本の配線１０が配設され、島部１２が設けられない例である。
ジグザグ状の領域内配線部分１０ａは、網目模様の１倍ピッチの屈曲線となっている。そして網目模様を形成する各線の一部が非連続部１１とされていることで、電極パターン部３と配線パターン部４が区分けされている。
電極パターン部３の線２０については延長部２０ａｓが設けられ、延長部２０ａｓの先端が非連続部１１として配線１０と分離されている。なお、この延長部２０ａｓについては言及しなかったが、図１〜図３で示した例も同様である。
【００３４】
図５Ｂも、電極パターン部３と電極パターン部３の間に１本の配線１０が配設され、島部１２が設けられない例である。
ジグザグ状の領域内配線部分１０ａは、網目模様の２倍ピッチの屈曲線となっている。そして網目模様を形成する各線の一部が非連続部１１とされていることで、電極パターン部３と配線パターン部４が区分けされている。
電極パターン部３の線２０については延長部２０ａｓが設けられ、延長部２０ａｓの先端が非連続部１１として配線１０と分離されている。
【００３５】
図５Ｃも、電極パターン部３と電極パターン部３の間に１本の配線１０が配設され、島部１２が設けられない例である。
ジグザグ状の領域内配線部分１０ａは、網目模様の４倍ピッチの屈曲線となっている。そして網目模様を形成する各線の一部が非連続部１１とされていることで、電極パターン部３と配線パターン部４が区分けされている。
電極パターン部３の線２０については延長部２０ａｓが設けられ、延長部２０ａｓの先端が非連続部１１として配線１０と分離されている。
なお、以上の図５Ａ、図５Ｂ、図５Ｃは、配線１０が、屈曲点から屈曲点までの長さが一定に形成されている例となる。
【００３６】
図５Ｄは、電極パターン部３と電極パターン部３の間に１本の配線１０が配設され、電極パターン部３と配線パターン部４の間に短線状の島部１２が設けられる例である。
ジグザグ状の領域内配線部分１０ａは、網目模様の１倍ピッチの屈曲線となっている。そして網目模様を形成する各線の一部が非連続部１１とされていることで、電極パターン部３と配線パターン部４が区分けされている。
電極パターン部３の線２０については、上述の延長部２０ａｓは設けられず、短線状の島部１２の両側として非連続部１１が形成されている。
つまりこの例では、配線パターン部４の配線１０は、島部１２を介在させて、隣接する電極パターン部３から分離されている。島部１２は配線パターン部４の配線１０とも、電極パターン部３の線２０とも分離された導電材料である。従って、配線パターン部４と電極パターン部３の間は、島部１２の両端の２カ所の非連続部１１により確実に電気的に分離されていることになり、電気的絶縁性の信頼度を向上させることができる。
なお、このように電極パターン部３と配線パターン部４の間に島部１２が設けられる場合において、図５Ｂ、図５Ｃのような２倍、４倍等の整数倍ピッチの屈曲線で領域内配線部分１０ａが形成される例も考えられる。
また、図５Ｄでは電極パターン部３と電極パターン部３の間に１本の配線１０が配設された例であるが、複数の配線１０が隣接される場合、図１，図２のように隣接する配線１０，１０間も、島部１２を介在させて分離されても良い。つまり、配線パターン部４と電極パターン部３の分離、及び配線パターン部４内での隣接する配線１０、１０の分離の両方について島部１２を用いることも、当然想定される。その場合、島部１２によって、上述の絶縁性の向上や、網目模様の構成要素となることでの視認性低下、さらには島部１２の線幅による透過率差の低減による視認性低下という効果を得ることができる。
【００３７】
図５Ｅは、領域内配線部分１０ａに延長部１０ａｓが設けられる例である。島部１２は設けられない。
領域内配線部分１０ａは、基本ジグザグ状のパターンであるが、その各屈曲点から延長部１０ａｓが伸びている状態である。配線１０は、延長部１０ａｓの先端が非連続部１１とされることで電極パターン部３と分離されている。
即ちこの場合も、網目模様を形成する各線の一部が非連続部１１とされていることで、電極パターン部３と配線パターン部４が区分けされている。
【００３８】
図５Ｆは、１本の配線１０（領域内配線部分１０ａ）が、２つのジグザグラインが交差しながら形成される例である。即ち複数の屈曲線が組み合わされて１つの配線１０（領域内配線部分１０ａ）が形成されている。
電極パターン部３の線２０については延長部２０ａｓが設けられ、延長部２０ａｓの先端が非連続部１１として配線１０と分離されている。
この場合も、網目模様を形成する各線の一部が非連続部１１とされていることで、電極パターン部３と配線パターン部４が区分けされている。
このように１本の配線１０（領域内配線部分１０ａ）を、複数のジグザグラインが交差しながら形成されるパターンとすると、領域内配線部分１０ａの信号伝達線としての安定性が向上する。即ち一方のジグザグラインで断線があっても、他のジグザグラインでカバーできる。この点を考えれば、領域内配線部分１０ａの線幅ｗ２を、線２０の線幅ｗ１と同等とするように細くし、全体の透過率を上昇させるということも現実的に可能となる。
なお、図１，図２の例のように複数の配線１０（領域内配線部分１０ａ）が並ぶ場合においても、各配線１０が、このように複数の屈曲線が組み合わされて形成される例も考えられる。
【００３９】
なお、以上の図５Ａ〜図５Ｆのパターンにおいて、電極パターン部３と電極パターン部３の間に複数本の配線１０が配設される例も当然考えられる。その場合、配線１０と配線１０の間は、島部１２の両側の非連続部１１で分離されたり、延長部１０ａｓの先端が非連続部１１として分離されればよい。
また並んで形成される複数本の各配線は、同一の間隔で屈曲する導電材料の屈曲線で形成されていることが好ましい。
【００４０】
図６では、網目模様自体が異なる例を示している。
図６Ａは、六角形の網目が形成される網目模様の例である。
この図６Ａの例は、電極パターン部３と電極パターン部３の間に２本の配線１０が配設され、電極パターン部３と配線パターン部４の間に短線状の島部１２が設けられている。
領域内配線部分１０ａは、六角形のうちの３辺に沿ったように屈曲する屈曲線となっている。そして六角形の網目模様を形成する各線の一部が非連続部１１とされていることで、電極パターン部３と配線パターン部４が区分けされている。
電極パターン部３の線２０については、上述の延長部２０ａｓは設けられず、島部１２の両側として非連続部１１が形成されている。従ってこの例は、配線パターン部４と電極パターン部３の分離、及び配線パターン部４内での隣接する配線１０、１０の分離の両方について島部１２を用いる例でもある。
なお、ここでは六角形の網目としたが、六角形や四角形以外の多角形（三角形、五角形、七角形、八角形・・・）の網目を持つような網目模様として導電材料パターンを形成することも当然考えられる。
【００４１】
図６Ｂの網目は四角形であるが、図５のような斜め４５°ではない傾きの線（例えば斜め６０°の線）により網目模様が形成される場合を示している。
この図６Ｂの例は、電極パターン部３と電極パターン部３の間に２本の配線１０が配設され、配線１０と配線１０の間に短線状の島部１２が設けられている。
領域内配線部分１０ａは、例えば１２０°で屈曲する屈曲線となっている。そして網目模様を形成する各線の一部が非連続部１１とされていることで、電極パターン部３と配線パターン部４が区分けされている。
電極パターン部３の線２０については、延長部２０ａｓが設けられ、延長部２０ａｓの先端が非連続部１１とされて配線パターン部４と分離されている。
【００４２】
図６Ｃはセンサ領域２内の水平線及び垂直線としての導電材料パターンにより、網目模様が正方形とされる例を示している。
この図６Ｃの例は、電極パターン部３と電極パターン部３の間に２本の配線１０が配設され、配線１０と配線１０の間に短線状の島部１２が設けられている。
領域内配線部分１０ａは、９０°で屈曲する屈曲線となっている。そして網目模様を形成する各線の一部が非連続部１１とされていることで、電極パターン部３と配線パターン部４が区分けされている。
電極パターン部３の線２０については、延長部２０ａｓが設けられ、延長部２０ａｓの先端が非連続部１１とされて配線パターン部４と分離されている。
【００４３】
なお、以上の図６Ａ〜図６Ｃでは、網目模様自体のバリエーションを示したが、網目模様としてはさらに多様に考えられる。
そして各種網目模様のパターンにおいて、電極パターン部３と電極パターン部３の間に複数ではなく１本の配線１０が配設される例も当然考えられる。
また図６Ａ、図６Ｂ、図６Ｃの各網目模様の場合に、図５Ａ〜図５Ｆで例示したような各種のバリエーションも考えられる。
【００４４】
図７はさらなるバリエーションを示している。
図７Ａは、図６Ａの六角形の網目のパターンであるが、電極パターン部３の線２０について延長部２０ａｓが設けられ、延長部２０ａｓの先端が非連続部１１とされて配線パターン部４と分離されている例である。配線１０と配線１０の間には短線状の島部１２が設けられている。
【００４５】
図７Ｂは、島部１２の他の例を示している。即ち島部１２を短線状ではなく、Ｘ字状とした例である。このＸ字状の島部１２も、上述した短線状の島部と同様に、電極パターン部３の導電材料の線２０と、配線パターン部４の導電材料の配線１０（領域内配線部分１０ａ）のいずれとも非連続な導電材料の線で形成されるものである。そして配線１０（領域内配線部分１０ａ）は、Ｘ字状の島部１２を介在させて、隣接する電極パターン部から分離されている。
島部１２の例としては図７Ｂの下方にも示すように、さらなる多様な例が考えられる。例えば屈曲線と短線の組み合わせた複数の島部、Ｔ字状線と短線を組み合わせた島部、略方形の島部などである。
また、複数の配線１０が隣接して配設される場合、隣接する配線１０，１０間を、Ｘ字状等の島部１２を介在させて分離させても良い。つまり、配線パターン部４と電極パターン部３の分離、及び配線パターン部４内での隣接する配線１０、１０の分離の両方について、Ｘ字状などの島部１２を用いることも想定される。
【００４６】
図７Ｃは、網目模様のパターンがセンサ領域２の水平線Ｈからみて傾いている例である。
上記の図６Ｂの例は線２０同士の交差角度が例えば６０°とすることで、線２０がセンサ領域２の水平線Ｈに対して４５°ではない例としたものであるが、線２０の交差角度や配線１０の屈折角度が図７Ｃのように９０°の場合でも、線２０がセンサ領域２の水平線Ｈに対して４５°ではないような例も考えられる。
即ち９０°で交差する線２０の網目全体が、センサ領域２の水平線Ｈに対して４５°以外に傾くことで、線２０が例えば水平線Ｈから３０°や６０°などの、傾きθ１，θ２の線になるパターンである。
【００４７】
図７Ｄは、配線１０（領域内配線部分１０ａ）が、屈曲点から屈曲点までの長さが複数種類の長さとなる屈曲線で形成されている例である。これは図５Ａ、図５Ｂ、図５Ｃの各屈曲ピッチを組み合わせた例といえる。このように屈曲点から屈曲点までの長さが複数種類の長さとなる屈曲線で形成することで、配線１０の全体を大まかにカーブさせるようなパターニングが可能となる。
電極パターン部３となるセンサ電極パターンＳＰやダミー電極パターンＤＰは、必ずしも方形の領域となるわけではない。例えば略円形領域、略楕円の領域、３角形の領域、５角形以上の多角形の領域なども想定される。このような電極パターン部３の領域形状に沿わせるようにする場合、図７Ｄのように、屈曲点から屈曲点までの長さが複数種類の長さとなる屈曲線で配線１０（領域内配線部分１０ａ）を形成することで、対応できる。
【００４８】
以上の図７の各例においても、さらに図５，図６の各例の組み合わせたパターンも想定される。
またセンサ領域２内で複数のパターンが採用されることもある。例えばセンサ領域２内のある部分では図５Ａのようなパターンが形成され、他の部分では図２のようなパターンが形成されているなどである。
【００４９】
いずれにしても、センサ領域２内は、網目模様を形成する線の一部が非連続部１１とされるパターンで導電材料の線（線２０、領域内配線部分１０ａ、島部１２）が形成され、非連続部１１により電極パターン部３となる部分と配線パターン部４となる部分が区分けされている。このような考え方により、配線パターン部４が、電極パターン部３とともに、センサ領域２内の網目模様を構成するように、導電材料パターンを形成する。これにより配線パターン部４の視認を解消し、また全体の透過率も適切に設定することができ、表示デバイス前面に配置するタッチスイッチ装置として好適となる。その意味で、配線パターン部４及び電極パターン部３を形成する導電材料パターンの例は非常に多様に考えられる。
また直線状の線分の組み合わせではなく、曲線を組み合わせた導電材料パターンも考えられる。
【符号の説明】
【００５０】
２  センサ領域、３  電極パターン部、４  配線パターン部、１０  配線、１０ａ  領域内配線部分、１０ｂ  １０ａｓ  延長部、枠外配線部分、１１  非連続部、１２  島部、２０  線、２０ａｓ  延長部
【図１】
2014089585.tif 000003
【図２】
2014089585.tif 000004
【図３】
2014089585.tif 000005
【図４】
2014089585.tif 000006
【図５】
2014089585.tif 000007
【図６】
2014089585.tif 000008
【図７】
2014089585.tif 000009
【図８】
2014089585.tif 000010
【図９】
2014089585.tif 000011